(57)【特許請求の範囲】
【請求項１】
上下に対向する走行上下レールの途中又は終端部に走行上下レールに略直交する方向に格納上下レールを設け、走行上下レールを走行する引き戸を格納上下レールに移行させて格納する引き戸装置であって、引き戸の上端部に走行上レール及び格納上レールに走行する上走行具を設け、引き戸の下端部に走行下レールに走行する走行用下走行具と格納下レールに走行する格納用下走行具を設け、格納用下走行具又は走行用下走行具の一方を引き戸本体に対して昇降可能に構成して格納走行に際して格納用下走行具を走行用下走行具よりも下方に突出可能に構成して成ることを特徴とする引き戸装置。
【請求項２】
格納用下走行具を昇降自在に構成して成ることを特徴とする請求項１記載の引き戸装置。
【請求項３】
走行用下走行具を昇降自在に構成して成ることを特徴とする請求項１記載の引き戸装置。
【請求項４】
走行用下走行具は、下レールの長さ方向に略直交する水平軸の廻りに回転する縦回転ローラであり、格納用下走行具は、格納下レールの長さ方向に略直交する水平横軸の廻りに回転する縦回転輪であることを特徴とする請求項１乃至３のいずれかに記載の引き戸装置。
【発明の詳細な説明】
【０００１】
【発明の属する技術分野】
本発明は、引き戸装置に関し、詳しくは、走行用及び格納用のいずれのレールに対する走行性能を高めようとする技術に係るものである。
【０００２】
【従来の技術】
従来、引き戸装置においては、図５に示すように、上下に対向する走行用の上下レール１、２の途中又は終端部に上下レール１、２に略直交する方向で上下に対向させて格納上下レール４、５を設け、上下レール１、２を走行する引き戸３を格納上下レール４、５に移行させて格納するするのであり、この場合、上走行具６、６は走行用の上レール１から格納上レール４に移行し、又、下走行具７’、７’は走行用の下レール１から格納下レール５に移行するものである。
【０００３】
【発明が解決しようとする課題】
このように、従来の引き戸装置においては、引き戸の荷重を支持する下走行具７’、７’を走行用の下レール２から格納下レール５に移行させることから、走行用の下レール２を走行する走行性能及び格納下レール５を走行する格納走行性能を高め難いという問題がある。
【０００４】
本発明はこのような問題に鑑みてなされたものであり、走行用及び格納用のいずれのレールに対する走行性能を高めることができる引き戸装置を提供することを課題とするものである。
【０００５】
【課題を解決するための手段】
請求項１の発明においては、上下に対向する走行上下レール１、２の途中又は終端部に走行上下レール１、２に略直交する方向に格納上下レール４、５を設け、走行上下レール１、２を走行する引き戸３を格納上下レール４、５に移行させて格納する引き戸装置であって、引き戸３の上端部に走行上レール１及び格納上レール４に走行する上走行具６、６を設け、引き戸３の下端部に走行下レール２に走行する走行用下走行具７と格納下レール５に走行する格納用下走行具８を設け、格納用下走行具８又は走行用下走行具７の一方を引き戸本体１１に対して昇降可能に構成して格納走行に際して格納用下走行具８を走行用下走行具７よりも下方に突出可能に構成していることを特徴とするものである。
【０００６】
このような構成によれば、引き戸３の下端に走行下レール２用の走行用下走行具７と格納下レール５用の格納用下走行具８を設け、走行用下走行具７と格納用下走行具８とを使い分けることから、走行及び格納のいずれの走行性能を高めることができる。
【０００７】
この場合、請求項２の発明のように、格納用下走行具８を昇降自在に構成しても、又、請求項３の発明のように、走行用下走行具７を昇降自在に構成してもよいものである。
【０００８】
請求項４の発明においては、走行用下走行具７は、下レール２の長さ方向に略直交する水平軸９の廻りに回転する縦回転ローラ７ａであり、格納用下走行具８は、格納下レール５の長さ方向に略直交する水平横軸１０の廻りに回転する縦回転輪８ａであることが好ましいものである。このような構成によれば、走行用下走行具７及び格納用下走行具８は縦回転ローラ７ａ及び縦回転輪８ａであって、各走行性能を高めながら各走行具７、８の構成を簡素化することができる。
【０００９】
【発明の実施の形態】
以下、本発明の実施の形態を説明する。図１（ａ）は引き戸の概略正面図、同図（ｂ）は概略断面図である。図２（ａ）は全体概略正面図、同図（ｂ）（ｃ）は走行状態と格納状態を示す概略平面図である。
【００１０】
例えば、部屋間の仕切り箇所において、上下に対向させて走行上下レール１、２を敷設している。走行上レール１はリップ付きチャンネル材を使用し、走行下レール２はチャンネル材を使用している。このような走行上下レール１、２の途中又は終端部に走行上下レール１、２に略直交する方向に格納上下レール４、５を敷設している。格納上レール４は走行上レール１と同材を使用し、格納下レール５は走行下レール２と同材を使用する。
【００１１】
引き戸本体１１の上端の前後部に縦軸１２の廻りに水平回転する上走行具６を設けている。上走行具６、６の間隔Ａは格納上レール４、４の間隔Ａ１に等しくしている。しかして、走行上レール１に上走行具６、６を挿入しリップ片１３、１３にて抜止めを図りながら上走行具６、６を走行上レール１に走行させ、格納上レール４、４へと移行させることができるようにしている。
【００１２】
引き戸本体１１の下端の前後部に走行下レール２の長さ方向に直交する方向の水平軸９に回転自在に走行用下走行具７としての縦回転ローラ７ａを設けている。前後の縦回転ローラ７ａ、７ａの間には格納下レール５の長さ方向に略直交する水平横軸１０の廻りに回転する格納用下走行具８としての縦回転輪８ａを設けている。縦回転輪８ａ、８ａの間隔Ｂは格納下レール５、５の間隔Ｂ１に等しくなっている。
【００１３】
図１（ａ）に示すように、格納用下走行具８としての縦回転輪８ａ、８ａを保持する車輪ブロック１９は基台１４に支持されていて基台１４に連結棒１５が連結され、連結棒１５の上部に形成したラック１６にピニオン１７を噛合し、ピニオン１７に回転ハンドル１８を連結し、回転ハンドル１８を矢印イに沿って操作することで、ピニオン１７及びラック１６を介して基台１４を昇降できるようにしている。この場合、縦回転輪８ａ、８ａの最下降位置においては縦回転ローラ７ａ、７ａよりも下方に突出して引き戸本体１１を持ち上げ、縦回転ローラ７ａ、７ａが走行下レール２より浮上するようにしている。この場合、引き戸本体１１とともに上走行具６は上レール１内において上昇する。
【００１４】
このように、引き戸３の下端部に走行下レール２に走行する縦回転ローラ７ａと格納下レール５に走行する縦回転輪８ａを設け、縦回転輪８ａを引き戸本体１１に対して昇降可能に構成して格納走行に際して縦回転輪８ａを縦回転ローラ７ａよりも下方に突出可能に構成していることから、縦回転輪８ａ、８ａの昇降によって、走行下レール２と格納下レール５の分岐箇所において、縦回転輪８ａ、８ａを下方に突出させて格納下レール５、５へと円滑に走行することができるのである。しかして、走行用下走行具７と格納用下走行具８とを使い分けることで、走行及び格納のいずれの走行性能を高めることができるのである。
【００１５】
ところで、引き戸３が走行上下レール１、２と格納上下レール４、５の分岐箇所をセンサーにて検知し、検知結果を知らせるようにするとよい。又、格納用下走行具８及び走行用下走行具７はローラや輪体でない構成、例えば、ピン形態のものでもよいものである。
【００１６】
図４は他の実施の形態を示し、但し、本実施の形態の基本構成は上記実施の形態と共通であり、共通する部分には同一の符号を付して説明は省略する。
【００１７】
本実施の形態においては、走行用下走行具７を昇降自在に構成したものである。具体的には、走行用下走行具７としての縦回転ローラ７ａ、７ａを保持する車輪ブロック１９は基台１４に支持されていて基台１４に連結棒１５が連結され、連結棒１５の上部に形成したラック１６にピニオン１７を噛合し、ピニオン１７に回転ハンドル１８を連結し、回転ハンドル１８を矢印イに沿って操作することで、ピニオン１７及びラック１６を介して基台１４を昇降できるようにしている。縦回転ローラ７ａ、７ａの最上昇位置においては縦回転輪８ａ、８ａよりも上方に位置して引き戸本体１１を下降させ、かつ、縦回転ローラ７ａが走行用下レール２から浮上し、縦回転輪８ａ、８ａが格納下レール５、５を転動するようにしている。
【００１８】
【発明の効果】
請求項１の発明においては、上下に対向する走行上下レールの途中又は終端部に走行上下レールに略直交する方向に格納上下レールを設け、走行上下レールを走行する引き戸を格納上下レールに移行させて格納する引き戸装置であって、引き戸の上端部に走行上レール及び格納上レールに走行する上走行具を設け、引き戸の下端部に走行下レールに走行する走行用下走行具と格納下レールに走行する格納用下走行具を設け、格納用下走行具又は走行用下走行具の一方を引き戸本体に対して昇降可能に構成して格納走行に際して格納用下走行具を走行用下走行具よりも下方に突出可能に構成しているから、引き戸の下端に走行下レール用の走行用下走行具と格納下レール用の格納用下走行具を設け、走行用下走行具と格納用下走行具とを使い分けることから、走行及び格納のいずれの走行性能を高めることができるという利点がある。
【００１９】
請求項４の発明においては、請求項１の効果に加えて、走行用下走行具は、下レールの長さ方向に略直交する水平軸の廻りに回転する縦回転ローラであり、格納用下走行具は、格納下レールの長さ方向に略直交する水平横軸の廻りに回転する縦回転輪であるから、走行用下走行具及び格納用下走行具は縦回転ローラ及び縦回転輪であって、各走行性能を高めながら各走行具の構成を簡素化することができるという利点がある。
【図面の簡単な説明】
【図１】本発明の実施の一形態を示し、（ａ）は引き戸の概略正面図、（ｂ）は概略断面図である。
【図２】（ａ）は全体概略正面図、（ｂ）（ｃ）は走行状態と格納状態を示す概略平面図である。
【図３】（ａ）は概略分解説明図、（ｂ）は概略平面図である。
【図４】同上の他の実施の形態の概略正面図である。
【図５】従来例の概略分解斜視図である。
【符号の説明】
１    走行上レール
２    走行下レール
３    引き戸
４    格納上レール
５    格納下レール
６    走行用上走行具
７    走行用下走行具
８    格納用下走行具
１１  引き戸本体
【図１】
0003567921.tif 000002
【図２】
0003567921.tif 000003
【図３】
0003567921.tif 000004
【図４】
0003567921.tif 000005
【図５】
0003567921.tif 000006